(57)【要約】【課題】月経の出血時の不快感を緩和し、ナプキンから経血がはみ出して付着しない為の経血誘導式生理用品を提供する。【解決手段】少なくともナプキン左右上面に接触する底部と、外陰方向に延びた隆起状の外陰被挟持部とよりなる月経血吸収体であり、隆起状の外陰被挟持部から底部側辺にかけて経血を誘導する拡散誘導部を形成することを特徴とする経血誘導式生理用品。【選択図】    図１
2004202165.tif 000002
【特許請求の範囲】
【請求項１】
少なくともナプキン左右上面に接触する底部と、外陰方向に延びた隆起状の外陰被挟持部とよりなる月経血吸収体であり、隆起状の外陰被挟持部から底部側辺にかけて経血を誘導する拡散誘導部を形成することを特徴とする経血誘導式生理用品。
【請求項２】
折りたたむことで、前記形状を形成するシート体よりなることを特徴とする請求項１記載の経血誘導式生理用品。
【請求項３】
シート体がハート形状よりなるものであることを特徴とする請求項２記載の経血誘導式生理用品。
【請求項４】
水解性素材で造り上げた請求項１、２又は３記載の経血誘導式生理用品。
【請求項５】
吸収体と、この吸収体を覆い経血を通過させる素材よりなるカバーにより構成される請求項１、２、３又は４記載の経血誘導式生理用品。
【発明の詳細な説明】
【０００１】
【発明の属する技術分野】
この発明は、月経血が生理用ナプキンからはみ出さないようにする為の吸収体に関するものである。
【０００２】
【従来の技術】
従来より生理用品は、シート状吸収体のナプキンと、膣内に挿入するタンポンとがあった。
ナプキンは、テープでショーツに固定させ月経血を受け止め吸収させる。ナプキンの底部位にはポリエチレン等で経血がショーツに染み出ないようになされている。
タンポンは、棒状の吸収体を膣内に挿入し、経血を吸収させて体外に取り出す仕組みになっている。
【０００３】
【発明が解決しようとする課題】
これには次のような欠点があった。
（イ）  ナプキンは、しっかりショーツについていても、又、経血量が多くなくても、経血がナプキンからはみ出して下着を汚してしまうことがあった。スポット吸収や、ナプキンの中央部分が盛り上がり経血を受け止める工夫のあるものもあったが、膣口からナプキンまでにすき間があるため、外陰の形の個人差、膣口の位置、体位の違いにより、うまくスポット吸収部分や盛り上がり部分に経血が付着しないことが少なくなかった。
（ロ）  タンポンは、膣内で吸収される為、経血が出る瞬間の不快感は少ない。
しかし、未婚女性には不向きで、また、タンポンをうまく挿入できない、心理的抵抗がある等、使えない人は少なくない。本品は、これらの欠点を解決する為に発明されたものである。
【０００４】
【課題を解決するための手段】
月経血を吸収、誘導するための吸収体を、併用するナプキン上面に接触する底部と、外陰方向に延びた隆起状の外陰被挟持部で形成する。隆起状の外陰被挟持部から底部側辺にかけて経血を生理用ナプキンまで誘導する拡散誘導部を有する大きさ及び形状にする。
【０００５】
【発明の実施の形態】
以下、本発明の実施の形態を説明する。
（イ）  図１に示すように、ナプキン上面に接触する底部（２）と、外陰方向に延びた隆起状の外陰被挟持部（１）で形成する。
（ロ）  外陰被挟持部（１）の長さにおいては、挟持により固定される長さがあれば良い。側面は図３に示すように滑らかに突出した状態となっている。
（ハ）  経血を吸収するとともに、あふれた経血を隆起状の外陰被挟持部（１）から、併用するナプキンに接触する底部（２）まで経血を誘導できる素材で形成する。
（ニ）  使用状態で、図１、２に示すように、併用されたナプキンの吸収面に本発明の底部（２）が接触する大きさ及び形状とする。
（ホ）  皮膚に接触する部分は、かぶれにくい素材を用いる。
本発明は、以上のような構造で、使用するときは図２に示すように、外陰被挟持部（１）を膣にあてて、外陰にはさむようにして用いる。そして、経血が本発明に吸収され、その吸収量を越えると、そこから染み出て底部（２）に触れているナプキンにそのまま吸収される。経血をはじく素材を本発明には用いないので、経血のナプキンまでの誘導材となる。その結果、経血がナプキンの外にはみ出さず、本発明の幅のままナプキンに染み出るように付着する。
【０００６】
【第２実施の形態】
図４に示すのは、立体形の本発明の外陰被挟持部（１）の一端からもう一端に向けて細くなっていく形状にしたものである。これを使用するときは、広くなっている方の外陰被挟持部の底部がナプキンに接触するように装着する。本品の太い方を前側に向けて装着した場合、経血は前方へ多く流れやすくなる。また、太い方を後側に向けて装着した場合、経血は後方へ多く流れやすくなる。これによって、経血がナプキンに接触している部分へ流れやすくなるので、前後どちらに染み出るほうが良いかという使用者の好みに対応できる。
【０００７】
【第３実施の形態】
図５に示すのは、断面がハート形状となる立体形にしたものである。側面は図３に示すように、滑らかに突出している。底部をハート形状にすることによって、使用時にハートの窪み部分の角度が狭まり、外陰への接触性が良くなる。これにより、使用時の違和感が緩和される。これを使用する時は図６に示すように、外陰被挟持部（１）を膣にあてて、外陰にはさむようにして用いる。
【０００８】
【第４実施の形態】
図７に示すのは、立体形の断面がハート形状となる外陰被挟持部（１）の一端を広く滑らかにして、もう一端に向けて細くなっていく形状にしたものである。
これを使用するときは、広くなっている方の外陰被挟持部の底部がナプキンに接触するように装着する。本品の太い方を前側に向けて装着した場合、経血は前方へ多く流れやすくなる。また、太い方を後側に向けて装着した場合、経血は後方へ多く流れやすくなる。これによって、経血がナプキンに接触している部分へ流れやすくなるので、前後どちらに染み出るほうが良いかという使用者の好みに対応できる。
【０００９】
【第５実施の形態】
図８に示すのは、シート形状にしたものである。図９に示すように略円形のシート中心線上の片面を隆起させ、その反対面はへこませ折り返し部を構成したものである。縦二つ折りにして折り返し部（３）を外陰被挟持部（１）とし、自由端部（４）が併用するナプキンに接触する大きさ及び形状となっている。これを使用するときは図１０に示すように、折り込み部により半幅に折りながら折り返し部（３）を膣にあて、外陰に挟むように用いる。シート状にすることで使用時における体動による接触性がよくなり、また、挟んだ時の違和感が緩和される。
【００１０】
【第６実施の形態】
図１１に示すのは、ハート型のシート形状にしたものである。これを使用する時は図１２に示すように、折り返し部（３）により縦二つ折りにして折り返し部（３）を外陰被挟持部（１）とし、ハートの山型の部分がナプキンに接触するように装着する。この時、接触する部分は前後どちらにあっても構わない。これによって、経血がナプキンに接触している部分へ流れやすくなるので、前後どちらに染み出るほうが良いかという使用者の好みに対応できる。
【００１１】
【第７実施の形態】
以上、各実施の形態を説明したものは、一定の経血を吸収するとともに、あふれた経血は誘導する吸収体であるが、図１３、１４、１５に示すように、カバーを用いたものでも構わない。ただし、カバーは吸収された経血を通過させ、皮膚がかぶれにくい素材を用いる。
【００１２】
【第８実施の形態】
以上、第１から第７まで各実施の形態を説明したが、素材として、水解性のパルプ等、トイレに流せるものを利用することもできる。
【００１３】
【本発明の効果】
本発明を使用することによって、膣口からナプキンまでのすき間がうまるので、月経の量が少ないにもかかわらず、経血がナプキンに付着せず、はみ出して下着を汚してしまうことがなくなる。また、出血する瞬間の不快感も緩和される。
膣内には挿入しないので、未婚女性等、タンポンが使えない人にも用いられる。
立体的なハート形状は、その外観がかわいらしく、女性に好まれる。底部をハート形状にすることによって、使用時にハートの窪み部分の角度が狭まり、外陰への接触性が良くなる。これにより、使用時の違和感が緩和される。
一端からもう一端へ細くなっていく形状にしたものは、経血がナプキンに接触している部分へ流れやすくなるので、前後どちらに染み出るほうが良いかという使用者の好みに対応できる。
シート形状にしたものは、反幅に折って使用することで、使用時における体動による接触性がよくなり、また、挟んだ時の違和感が緩和される。
ハート形シート形状は、その外観がかわいらしく、女性に好まれる。また、経血がナプキンに接触している部分へ流れやすくなるので、前後どちらに染み出るほうが良いかという使用者の好みに対応でき、反幅に折って使用することで、使用時における体動による接触性がよくなり、また、挟んだ時の違和感が緩和される。
水解性素材にすることで、使用後の本発明を捨てる際そのままトイレに流すことできるので、手指を汚さない。
大きさやサイズのバリエーションを持たせることで、さらに、外陰の形、好み、体位の個人差やニーズに対応できる。
【図面の簡単な説明】
【図１】本発明の斜視図
【図２】本発明の使用状態を示す斜視図
【図３】本発明の側面図
【図４】第２実施の形態記載の本発明の斜視図
【図５】第３実施の形態記載のハート形状
【図６】第３実施の形態記載の使用状態を示す斜視図
【図７】第４実施の形態記載の本発明の斜視図
【図８】第５実施の形態記載のシート形状
【図９】第５実施の形態記載の本発明の断面図
【図１０】第５実施の形態記載の本発明の使用状態を示す斜視図
【図１１】第６実施の形態記載の本発明の斜視図
【図１２】第６実施の形態記載の本発明の使用状態を示す斜視図
【図１３】第７実施の形態記載の本発明の断面図
【図１４】第７実施の形態記載の本発明の断面図
【図１５】第７実施の形態記載の本発明の断面図
【符号の説明】
１．外陰被挟持部
２．底部
３．折り返し部
４．自由端部
５．小陰唇
６．大陰唇
【図１】
2004202165.tif 000003
【図２】
2004202165.tif 000004
【図３】
2004202165.tif 000005
【図４】
2004202165.tif 000006
【図５】
2004202165.tif 000007
【図６】
2004202165.tif 000008
【図７】
2004202165.tif 000009
【図８】
2004202165.tif 000010
【図９】
2004202165.tif 000011
【図１０】
2004202165.tif 000012
【図１１】
2004202165.tif 000013
【図１２】
2004202165.tif 000014
【図１３】
2004202165.tif 000015
【図１４】
2004202165.tif 000016
【図１５】
2004202165.tif 000017